(57)【特許請求の範囲】
【請求項１】
壁掛タイプの空調室内機であって、
天面の前側から後側にかけて設けられた天面吸込口（２１）と、下面に設けられた下面吸込口（２２）とを有するケーシング（１１）と、
前記ケーシング内部に位置しており、前記天面吸込口及び前記下面吸込口から吸い込まれる空気の流れを生成するファン（１５）と、
前記ケーシング内部にて、前記ファンの前方を覆う前側熱交換部（１３ａ，１３ｂ）と前記ファンの後側を覆う後側熱交換部（１３ｃ）とが側面視において略逆Ｖ字型に組み合わされてなる熱交換器（１３）と、
前記天面吸込口（２１）から吸い込まれる空気の流れを阻害するためのものであって、更には前記前側熱交換部に対応する前記天面吸込口の部分における吸込抵抗よりも前記後側熱交換部に対応する前記天面吸込口の部分における吸込抵抗を大きくする吸込抵抗部（５０）と、
を備え、
前記ファンは、前記天面吸込口及び前記下面吸込口から吸い込まれて前記後側熱交換部（１３ｃ）に流入する空気の流れを生成し、
前記吸込抵抗部（５０）は、前記後側熱交換部（１３ｃ）に対応する前記天面吸込口（２１）に位置しており、
前記吸込抵抗部（５０）は、前記ケーシング（１１）の一部によって構成されている、
空調室内機（１００）。
【請求項２】
前記吸込抵抗部（５０）は、前記後側熱交換部（１３ｃ）に対応する前記天面吸込口（２１）の後側部分（２１ａ）に位置している、
請求項１に記載の空調室内機（１００）。
【請求項３】
前記吸込抵抗部（５０）は、前記天面吸込口（２１）の長手方向の全長にわたって設けられている、
請求項１または２に記載の空調室内機（１００）。
【請求項４】
前記吸込抵抗部（５０）は、前記天面吸込口（２１）の前記後側部分（２１ａ）の約３０％以上を塞いでいる、
請求項１から３のいずれか１項に記載の空調室内機（１００）。
【請求項５】
前記吸込抵抗部（５０）は、前記天面吸込口（２１）の前記後側部分（２１ａ）の約５０％以上を塞いでいる、
請求項４に記載の空調室内機（１００）。
【請求項６】
前記下面吸込口（２２）から吸込まれる空気の風速は、約０．５ｍ／ｓｅｃ以上である、
請求項１から５のいずれか１項に記載の空調室内機（１００）。
【発明の詳細な説明】
【技術分野】
【０００１】
本発明は、空調室内機、特に、壁掛タイプの空調室内機に関する。
【背景技術】
【０００２】
空調機には、屋外に設置される室外機と室内に設置される室内機とで構成されるセパレートタイプのものがある。特に、室内機には、室内の壁面等に取り付けられる壁掛タイプのものがある。
【０００３】
壁掛タイプの室内機としては、例えば特許文献１（特開２００１−３１１５３０号公報）に示されるものが知られている。特許文献１に係る室内機は、天面に天面吸込口を有し、下面に下面吸込口と吹出口とを有している。この室内機によると、室内空気は、両吸込口から吸い込まれ熱交換器にて熱交換された後、吹出口を介して室内へと吹き出される。
【発明の概要】
【発明が解決しようとする課題】
【０００４】
ところで、室内機が設置される場所の環境条件は、場所毎に異なっている。すると、特許文献１のように、天面にのみならず下面にも吸込口を有している室内機では、該室内機の設置される場所の環境条件によっては、空気は主に天面の吸込口から吸い込まれることとなり、一方で下面の吸込口からはほとんど吸い込まれないといった現象が生じてしまう場合がある。特に、壁掛タイプの室内機は、室内でも比較的天井に近い部分に設置され、室内機の天面と天井との隙間が狭くなることが多い。その結果、室内機の天面と天井との隙間が大きい状態において性能評価する場合と比べ、室内機の性能のばらつきが生じてしまう。
【０００５】
そこで、本発明の課題は、環境条件が異なるために場合によっては下面の吸込口が機能しないといった現象の発生を抑えることにある。
【課題を解決するための手段】
【０００６】
本発明の第１観点に係る空調室内機は、壁掛タイプの空調室内機であって、ケーシングと、ファンと、熱交換器と、吸込抵抗部とを備える。ケーシングは、天面吸込口と、下面吸込口とを有する。天面吸込口は、天面の前側から後側にかけて設けられている。下面吸込口は、下面に設けられている。ファンは、ケーシング内部に位置しており、天面吸込口及び下面吸込口から吸い込まれる空気の流れを生成する。熱交換器は、ケーシング内部にて、前側熱交換部と後側熱交換部とが側面視において略逆Ｖ字型に組み合わされることで形成されている。前側熱交換部は、ファンの前方を覆い、後側熱交換部は、ファンの後側を覆う。吸込抵抗部は、天面吸込口から吸い込まれる空気の流れを阻害する。更には、吸込抵抗部は、前側熱交換部に対応する天面吸込口の部分における吸込抵抗よりも、後側熱交換部に対応する天面吸込口の部分における吸込抵抗を大きくする。そして、ファンは、天面吸込口及び下面吸込口から吸い込まれて後側熱交換部に流入する空気の流れを生成する。吸込抵抗部は、後側熱交換部に対応する天面吸込口に位置している。特に、吸込抵抗部は、ケーシングの一部によって構成されている。
【０００７】
この空調室内機によると、天面吸込口から吸い込まれる室内空気の量は、吸込抵抗部によって抑えられる。そのため、天面吸込口から吸い込まれる室内空気が増加してしまうような環境条件下に空調室内機が設置される場合にも、天面吸込口から吸い込まれる室内空気の増加分は、吸込抵抗部によってある程度抑えられる。従って、天面吸込口から吸い込まれる室内空気の量と下面吸込口から吸い込まれる室内空気の量との比率のばらつき度合いを小さくでき、環境条件が異なるために場合によっては下面吸込口が機能しないといった現象の発生を抑えることができる。
【０００８】
特に、吸込抵抗部は、ケーシングの一部によって構成されている。これにより、吸込抵抗部を簡単に構成することができ、且つ吸込抵抗部を別部材で形成する場合に比してコストがかからずに済む。
【０００９】
本発明の第２観点に係る空調室内機は、第１観点に係る空調室内機において、吸込抵抗部は、後側熱交換部に対応する天面吸込口の後側部分に位置している。
【００１０】
これにより、天面吸込口の後側部分から吸い込まれる室内空気の量が少なくなる。そのため、天面吸込口から吸込まれる室内空気の量と下面吸込口から吸い込まれる室内空気の量との比率のばらつき度合いを、より小さくできる。
【００１１】
本発明の第３観点に係る空調室内機は、第１観点または第２観点に係る空調室内機において、吸込抵抗部は、天面吸込口の長手方向の全長にわたって設けられている。
【００１２】
これにより、吸込抵抗部は、天面吸込口を長手方向の全長に渡って塞ぐことができる。
【００１３】
本発明の第４観点に係る空調室内機は、第１観点から第３観点のいずれかに係る空調室内機において、吸込抵抗部は、天面吸込口の後側部分の約３０％以上を塞いでいる。
【００１４】
これにより、天面吸込口から吸い込まれる室内空気の量と下面吸込口から吸い込まれる室内空気の量との比率のばらつき度合いを小さくして、下面吸込口を確実に機能させることができる。
【００１５】
本発明の第５観点は、第４観点に係る空調室内機において、吸込抵抗部は、天面吸込口の後側部分の約５０％以上を塞いでいる。
【００１６】
これにより、天面吸込口から吸い込まれる室内空気の量と下面吸込口から吸い込まれる室内空気の量との比率のばらつき度合いを、より小さくすることができる。
【００１７】
本発明の第６観点は、第１観点から第５観点のいずれかに係る空調室内機において、下面吸込口から吸込まれる空気の風速は、約０．５ｍ／ｓｅｃ以上である。
【００１８】
ここでは、下面吸込口から吸込まれる空気の風速が約０．５ｍ／ｓｅｃ以上となる程度に、後側熱交換部に対応する天面吸込口の少なくとも一部分から吸込まれる室内空気を、吸込抵抗部が妨害する。これにより、空調室内機の設置される環境条件に依存する、天面吸込口から吸い込まれる室内空気の量と下面吸込口から吸い込まれる室内空気の量との比率のばらつき度合いを、確実に抑えることができる。
【発明の効果】
【００１９】
本発明の第１観点に係る空調室内機によると、天面吸込口から吸い込まれる室内空気の量と下面吸込口から吸い込まれる室内空気の量との比率のばらつき度合いを小さくでき、環境条件が異なるために場合によっては下面吸込口が機能しないといった現象の発生を抑えることができる。更に、この空調室内機によると、吸込抵抗部を簡単に構成することができ、且つ吸込抵抗部を別部材で形成する場合に比してコストがかからずに済む。
【００２０】
本発明の第２観点に係る空調室内機によると、天面吸込口から吸い込まれる室内空気の量と下面吸込口から吸い込まれる室内空気の量との比率のばらつき度合いを、より小さくできる。
【００２１】
本発明の第３観点に係る空調室内機によると、吸込抵抗部は、天面吸込口を長手方向の全長に渡って塞ぐことができる。
【００２２】
本発明の第４観点に係る空調室内機によると、天面吸込口から吸い込まれる室内空気の量と下面吸込口から吸い込まれる室内空気の量との比率のばらつき度合いを小さくして、下面吸込口を確実に機能させることができる。
【００２３】
本発明の第５観点に係る空調室内機によると、天面吸込口から吸い込まれる室内空気の量と下面吸込口から吸い込まれる室内空気の量との比率のばらつき度合いを、より小さくすることができる。
【００２４】
本発明の第６観点に係る空調室内機によると、空調室内機の設置される環境条件に依存する、天面吸込口から吸い込まれる室内空気の量と下面吸込口から吸い込まれる室内空気の量との比率のばらつき度合いを、確実に抑えることができる。
【図面の簡単な説明】
【００２５】
【図１】本実施形態に係る空調室内機の外観図。
【図２】本実施形態に係る空調室内機を図１のＩＩ−ＩＩ線で切断した場合の断面図。
【図３】本実施形態に係る支持部材がケーシング内に固定されている場合のケーシング内部の概観図であって、空調室内機からケーシング、底フレーム及び室内ファンを取り除いた場合の図。
【図４】清掃ユニットの概観図。
【図５】図２において、清掃ユニット付近を拡大した図。
【図６】図３において、支持部材からフィルタを外した場合の図。
【図７】図２に係る天面板付近の拡大図であって、且つ図２から支持部材及びフィルタを省略した図。
【図８】本実施形態に係る空調室内機を上から見た場合の、空調室内機の天面付近の図。
【発明を実施するための形態】
【００２６】
以下、本発明に係る空調室内機について、図面を参照しつつ詳述する。なお、以下の実施形態は、本発明の具体例であって、本発明の技術的範囲を限定するものではない。
【００２７】
（１）構成
図１は、本発明の一実施形態に係る空調室内機１００の外観図である。この空調室内機１００は、室内の壁面等に取り付けられており、室外に設置されている室外機（図示せず）と冷媒配管（図示せず）を介して接続されている。空調室内機１００は、室内の冷房運転、暖房運転に加え、更にはフィルタ２５やブラシ３３（図２）を自動で清掃する自動清掃運転を行うことができる。
【００２８】
この空調室内機１００は、図１〜５に示すように、主として、ケーシング１１と、室内熱交換器１３と、室内ファン１５と、底フレーム１７と、フィルタ２５と、清掃ユニット３０と、支持部材４０と、吸込抵抗部５０とを備える。
【００２９】
尚、以下の説明においては、「上」「下」「左」「右」「正面」「背面」等の方向を示す表現を適宜用いているが、これらは、空調室内機１００が図１の状態で室内の壁面等に設置された状態での各方向を表す。
【００３０】
（１−１）ケーシング
ケーシング１１は、図１に示すように、横方向（図１のＷ方向）に細長い箱状の形状を有している。具体的に、ケーシング１１は、図１，２に示すように、天面板１１ａ、前面板１１ｂ及び背面板１１ｃによって立体空間を形成し、その立体空間内に室内熱交換器１３、室内ファン１５、底フレーム１７、清掃ユニット３０、支持部材４０及び吸込抵抗部５０が収納されている。天面板１１ａは、主として、ケーシング１１の天面を構成し、前面板１１ｂは、主として、ケーシング１１の正面を構成する。なお、前面板１１ｂは、その上端が天面板１１ａの一部分に回動自在に支持され、ヒンジ式に動作することができる。背面板１１ｃは、主として、ケーシング１１の背面を構成している。この背面板１１ｃが、室内の壁面に設置された取り付け板（図示せず）にビス止め等によって取り付けられることで、空調室内機１００は、室内の壁面に設置されることとなる。
【００３１】
そして、ケーシング１１の天面板１１ａには、該面１１ａの前側から後側にかけて天面吸込口２１が設けられている。この天面吸込口２１からは、該吸込口２１近傍の室内空気が、室内ファン１５の駆動によってケーシング１１内部へと取り込まれ、室内熱交換器１３の前側熱交換部１３ａ，１３ｂ（後述）及び後側熱交換部１３ｃ（後述）それぞれに送られる。なお、図２の点線の矢印Ａは、一例として、天面吸込口２１及び前側熱交換部１３ｂを介して室内ファン１５へと送られる室内空気の流れを表している。
【００３２】
また、ケーシング１１の下面は、主として、底フレーム１７の底部分１７ａ（後述）によって構成されているが、該下面には、下面吸込口２２と、吹出口２３とが形成されている。下面吸込口２２は、吹出口２３よりも壁側に設けられており、吸込流路１６によってケーシング１１の内部と繋がっている。下面吸込口２２からは、該吸込口２２近傍の室内空気が、室内ファン１５の駆動によってケーシング１１内部へと取り込まれ、吸込流路１６を通って室内熱交換器１３の後側熱交換部１３ｃ（後述）へと送られる。図２の点線の矢印Ｂは、一例として、下面吸込口２２から後側熱交換部１３ｃへと送られる室内空気の流れを表している。吹出口２３は、下面吸込口２２よりも空調室内機１００の正面側に設けられており、吹出流路１８によってケーシング１１の内部と繋がっている。吹出口２３からは、各吸込口２１，２２から吸い込まれ室内熱交換器１３にて熱交換された後の室内空気が、吹出流路１８を通って室内へと吹き出される。図２の点線の矢印Ｃは、吹出流路１８から吹出口２３を介して室内へと送られる空気の流れを表している。
【００３３】
吸込流路１６は、下面吸込口２２から底フレーム１７の流路形成部分１７ｂ（後述）に沿って形成されている。吹出流路１８は、吹出口２３から底フレーム１７の流路形成部分１７ｂに沿って形成されている。即ち、吸込流路１６及び吹出流路１８は、底フレーム１７の流路形成部分１７ｂを挟んで互いに隣接して位置していると言える。
【００３４】
なお、吹出口２３付近には、水平フラップ２３ａがケーシング１１に対して回動自在に取り付けられている。水平フラップ２３ａは、フラップ用モータ（図示せず）によって駆動することができ、空調室内機１００の運転状態に応じて吹出口２３を開閉する。更に、水平フラップ２３ａは、吹出口２３から吹き出された室内空気がユーザの所望する方向へと案内されるように、室内空気の吹き出し方向を変更する役割を担う。
【００３５】
（１−２）室内熱交換器
室内熱交換器１３は、複数のフィンと複数の伝熱管とで構成されている。室内熱交換器１３は、ケーシング１１内部において、底フレーム１７の一部分に取り付けられている。室内熱交換器１３は、空調室内機１００の運転状態に応じて蒸発器または凝縮器として機能することで、冷媒と該熱交換器１３を通過する空気との間で熱交換を行わせる。
【００３６】
特に、本実施形態に係る室内熱交換器１３は、図２に示すように、側面視において両端が下方に向いて屈曲する略逆Ｖ字型の形状を有し、その下方に室内ファン１５が位置している。本実施形態では、以下の説明の便宜上、このような形状を有する室内熱交換器１３のうち、室内ファン１５の前方を覆う熱交換部を、「前側熱交換部１３ａ，１３ｂ」といい、室内ファン１５の後側を覆う熱交換部を、「後側熱交換部１３ｃ」という。即ち、本実施形態に係る室内熱交換器１３は、前側熱交換部１３ａ，１３ｂと後側熱交換部１３ｃとが頂点１３ｄにおいて接続された略逆Ｖ字形状を有している。
【００３７】
なお、図２では、一例として、前側熱交換部１３ａ，１３ｂが、室内ファン１５の前方において更に折り曲げられた形状を有している場合を表している。即ち、前側熱交換部１３ａ，１３ｂは、上下方向において下方に位置する部分（即ち、前側熱交換部１３ａ）と上方に位置する部分（即ち、前側熱交換部１３ｂ）とに分かれて構成されている。しかし、前側熱交換部１３ａ，１３ｂは、室内ファン１５の前方を覆うように位置していればよく、図２に示すように上下方向に分かれた構成でなくともよい。
【００３８】
（１−３）室内ファン
室内ファン１５は、ケーシング１１の内部に位置しており、図１に示すＷ方向に細長い略円筒形状のクロスフローファンである。室内ファン１５は、駆動することで、天面吸込口２１及び下面吸込口２２それぞれから吸い込まれて室内熱交換器１３（具体的には、前側熱交換部１３ａ，１３ｂ及び後側熱交換部１３ｃ）に流入した後、該熱交換器１３を通過して吹出口２３から室内へと供給されるといった、室内空気の流れを生成する（図２の点線の矢印Ａ，Ｂ，Ｃを参照）。
【００３９】
この室内ファン１５は、その駆動軸が室内ファンモータ（図示せず）の出力軸に接続されている。室内ファンモータが駆動した際、該モータの出力が出力軸を介して室内ファン１５の駆動軸へと伝達されることで、室内ファン１５は駆動することができる。
【００４０】
（１−４）底フレーム
底フレーム１７は、底部分１７ａと流路形成部分１７ｂとで構成されている。
【００４１】
底部分１７ａは、ケーシング１１の下面の少なくとも一部を構成する要素であって、底フレーム１７のうち空調室内機１００の外部に露出している。そのため、空調室内機１００の下面視において、ユーザは、底部分１７ａを目視することができる。
【００４２】
流路形成部分１７ｂは、底フレーム１７のうち、ケーシング１１の内部に位置する要素である。流路形成部分１７ｂは、底部分１７ａの一端から上方に延びており、且つ室内ファン１５の形状に沿って湾曲した形状を有している。
【００４３】
（１−５）フィルタ
フィルタ２５は、主としてケーシング１１の天面板１１ａと室内熱交換器１３との間、つまりは室内熱交換器１３に対して室内空気の流れ方向の上流側に配置されており、ケーシング１１の内部に着脱可能に装着される。フィルタ２５は、前側熱交換部１３ａ，１３ｂ及び後側熱交換部１３ｃを覆っている。そして、フィルタ２５は、フィルタ２５の前後方向における後側端部２５ｂが、室内熱交換器１３の頂点１３ｄよりも下方に位置する形状を有している。より詳細には、本実施形態に係るフィルタ２５は、その略中央の部分がケーシング１１の天面板１１ａに沿って延びており、更にはその前後方向における前側端部２５ａ及び後側端部２５ｂが室内熱交換器１３の頂点１３ｄよりも下方に垂れ下がっていることで室内熱交換器１３の上方を覆う、いわゆる略逆Ｕ字形状を有している。
【００４４】
なお、本実施形態では、フィルタ２５の後側端部２５ｂは、後側熱交換部１３ｃをほぼ覆う位置にまで達しており、フィルタ２５の前側端部２５ａは、前側熱交換部１３ｂ全てを覆いつつ、且つ前側熱交換部１３ａの上部を部分的に覆う位置にまで達している。これにより、後側熱交換部１３ｃに対応するフィルタ２５の部分は、主に下面吸込口２２から吸い込まれた室内空気から塵埃を除去することができる。前側熱交換部１３ａ，１３ｂに対応するフィルタ２５の部分は、主に天面吸込口２１から吸い込まれた室内空気から塵埃を除去することができる。即ち、フィルタ２５は、室内熱交換器１３の表面が室内空気中の塵埃によって汚染されるのを防ぐためのものであると言うことができる。
【００４５】
このようなフィルタ２５は、例えば、樹脂製の糸で平織りまたは綾織された網であって、環形状（つまり、無端ベルト状）に成形されており、支持枠（図示せず）に掛け渡されている。支持枠に掛け渡されたフィルタ２５は、図３に示すように、空調室内機１００の正面視において右側と左側とに、並ぶようにして２つ設けられている。これらのフィルタ２５には、一般のフィルタに見られるような補強用の縁やリブが設けられていないため、フィルタ２５は、自身で安定した形状を維持することができない。そのため、フィルタ２５は支持枠に掛け渡されることで、環形状の形状を保っている。
【００４６】
（１−６）清掃ユニット
清掃ユニット３０は、図５に示すように、ケーシング１１内部において、フィルタ２５付近、より具体的にはフィルタ２５の下部の折り返し部分近傍に位置している。清掃ユニット３０は、フィルタ２５の清掃のみならず、フィルタ２５を直接清掃するブラシ３３（後述）の清掃も行うものであって、図２〜６に示すように、清掃ユニット用フレーム３１、フィルタ駆動部３２、ブラシ３３、ブラシ駆動部３４、ブラシ清掃部３５、塵埃受け部３７及び圧縮ローラ３８を有している。
【００４７】
清掃ユニット用フレーム３１は、図４に示すように、空調室内機１００の長手方向(図１のＷ方向）に沿った細長い形状を有しており、その内部にはブラシ３３が着脱可能に取りつけられている。また、図５に示すように、清掃ユニット用フレーム３１の上面には、開口部３１ａが形成されており、清掃ユニット用フレーム３１は、フィルタ２５下部の折り返し部分の更に下方に位置している。そのため、該フレーム３１の開口部３１ａを介してブラシ３３の一部が、清掃ユニット用フレーム３１の上方の空間に露出しつつ、且つ開口部３１ａを介してフィルタ２５に直接接触できるようになっている。
【００４８】
フィルタ駆動部３２は、フィルタ２５を周回させるものであって、ローラ３２ａやローラ用モータ（図示せず）等で構成される。ローラ３２ａの周面には、いわゆるパイル織りされた織物基布が貼り付けられている。ローラ３２ａの周面における織物基布はフィルタ２５の網目に入り込んでおり、ローラ３２ａとフィルタ２５との間には滑りが生じ難くなっている。ローラ用モータは、その出力軸がローラ３２ａの回転軸に接続されている。ローラ用モータが駆動することで、ローラ３２ａが回転し、フィルタ２５が周回することができるようになる。
【００４９】
ブラシ３３は、図４に示すように、清掃ユニット用フレーム３１と同様、空調室内機１００の長手方向に沿って細長い形状を有しており、長手方向に直交する断面が略円形の形状を有している。ブラシ３３は、フィルタ２５に直接接触することにより、フィルタ２５から塵埃を除去する。このようなブラシ３３は、図５に示すように、芯材３３ａと、芯材３３ａの周面に設けられた複数の線材３３ｂとによって構成されており、線材３３ｂは、フィルタ２５に接触可能な長さを有している。また、ブラシ３３は、清掃ユニット用フレーム３１に対して回転可能に設けられている。
【００５０】
ブラシ駆動部３４は、ブラシ３３を回転させるためのものであって、例えばステッピングモータで構成される。つまり、モータであるブラシ駆動部３４の出力軸は、ブラシ３３の回転軸に接続されており、ブラシ３３は、ステッピングモータが駆動することで回転することができる。例えば、ブラシ３３が回転する際は、フィルタ２５の移動が停止し、逆にフィルタ２５が移動している際は、ブラシ３３は回転を停止した状態となる。即ち、フィルタ駆動部３２及びブラシ駆動部３４は、フィルタ２５またはブラシ３３を相対的に移動させることができる。
【００５１】
ブラシ清掃部３５は、図４に示すように、清掃ユニット用フレーム３１に取り付けられている。ブラシ清掃部３５は、図５に示すように、ブラシ３３の回転軸方向に沿って配置され、かつ清掃ユニット用フレーム３１の背面からブラシ３３に向けて突出しており、更にはブラシ３３の回転方向（つまり、図５のブラシ３３部分における矢印の方向）に逆らうようにして傾斜している。これにより、ブラシ清掃部３５は、ブラシ３３が図５の矢印の方向に回転する場合、ブラシ３３の線材３３ｂの間の塵埃を掻き落とすことができる。
【００５２】
塵埃受け部３７は、図２，５に示すように、清掃ユニット用フレーム３１に取り付けられた状態でブラシ３３及びブラシ清掃部３５の下方に配置される。塵埃受け部３７内には、ブラシ清掃部３５によってブラシ３３から掻き落とされた塵埃が貯められる。また、塵埃受け部３７は、清掃ユニット用フレーム３１に対し着脱可能に取り付けられているため、ユーザは、塵埃受け部３７を清掃ユニット用フレーム３１及びケーシング１１から取り出して、塵埃受け部３７内にたまった塵埃を容易に処理することができる。
【００５３】
圧縮ローラ３８は、円柱状の棒状部材であって、清掃ユニット用フレーム３１に回転可能に支持されている。ここでは、圧縮ローラ３８は、図５に示すように、ブラシ清掃部３５の付近において、ブラシ３３に接触するようにして位置している。これにより、ブラシ３３が図５の矢印の方向へと回転した際、このブラシ３３の回転に追従して、ブラシ３３の回転方向とは逆の方向に回転する。この圧縮ローラ３８により、塵埃受け部３７内に溜まった塵埃は圧縮されるため、塵埃受け部３７内には塵埃が比較的多く入るようになる。更に、圧縮ローラ３８の回転により、比較的粘度の高い塵埃は、塵埃受け部３７へと確実に送られる。
【００５４】
（１−７）支持部材
支持部材４０は、図２に示すように、前側熱交換部１３ａ，１３ｂ及び後側熱交換部１３ｃの上方に位置し、図３，６に示すように、清掃ユニット３０の一部分であるフィルタ駆動部３２及びブラシ駆動部３４を支持する。そして、フィルタ２５の空調室内機１００への装着の際、フィルタ２５は、支持部材４０に沿ってケーシング１１の正面側から内部へと差し込まれることとなるが、支持部材４０は、該フィルタ２５をケーシング１１の背面側へと導くと共に該フィルタ２５を支持する。更に、支持部材４０は、該部材４０の下方側の端部であると共に前後方向における後側の端部でもある後側端部４０ｂが、室内熱交換器１３の頂点１３ｄよりも後側且つ下方に位置する形状を有している。
【００５５】
より具体的には、支持部材４０は、その略中央の部分がケーシング１１の天面板１１ａに沿って延びており、更にはその前後方向における前側端部４０ａ及び後側端部４０ｂが室内熱交換器１３の頂点１３ｄよりも下方に垂れ下がっていることで室内熱交換器１３の上方を覆う形状を有している。即ち、前側端部４０ａ及び後側端部４０ｂのみに着目すると、支持部材４０は、いわゆる略逆Ｕ字型の形状を有している。
【００５６】
そして、図３，６に示すように、支持部材４０は、該部材４０の左右方向のほぼ中央を前後方向に延びる仕切部４１を挟んで位置する左側部分４２と右側部分４３とを有するが、図３に示すように、支持枠に掛け渡されたフィルタ２５は、該部分４２，４３それぞれの上面に装着される。フィルタ２５は、ケーシング１１への装着の際、まずは図６の状態にてケーシング１１の正面側からケーシング１１内へと差し込まれ、フィルタ２５の後側端部２５ｂが支持部材４０の後側端部４０ｂ付近に至るまで、支持部材４０の左側部分４２及び右側部分４３の上面に沿ってスライドする。これにより、フィルタ２５は、図３に示すように支持部材４０の上面に装着される。そのため、図６に示すように、支持部材４０の正面視において、左側部分４２及び右側部分４３それぞれの左右端部４２ａ，４２ｂ，４３ａ，４３ｂには、支持枠に掛け渡されたフィルタ２５の端面が対峙すると共に該フィルタ２５がスライドするためのスライド機構が設けられている。スライド機構は、詳細には、溝や複数の突起等で形成されている。即ち、左側部分４２及び右側部分４３それぞれの左右端部４２ａ，４２ｂ，４３ａ，４３ｂにおけるスライド機構は、フィルタ２５を支持部材４０上にて移動させるための構成であると言うことができ、フィルタ２５のケーシング１１への装着時のみならず、フィルタ２５の清掃時においてフィルタ２５を移動させる場合にも有益な構成である。
【００５７】
（１−８）吸込抵抗部
吸込抵抗部５０は、天面吸込口２１から吸い込まれる空気の流れを阻害するためのものであって、図２，７，８に示すように、後側熱交換部１３ｃに対応する天面吸込口２１付近に位置している。ここで、図７は、図２において、ケーシング１１内部のうち天面板１１ａ付近の断面を拡大したものであって、図２からは支持部材４０やフィルタ２５を省略している。図８は、空調室内機１００を上から見た場合の、天面板１１ａ付近の図である。
【００５８】
より詳細には、本実施形態に係る吸込抵抗部５０は、ケーシング１１を構成する天面板１１ａや前面板１１ｂ、背面板１１ｃとは別部材で構成されており、後側熱交換部１３ｃに対応する天面吸込口２１の後側部分２１ａに装着されている。つまり、吸込抵抗部５０は、天面吸込口２１のうち、室内ファン１５の後方側であってかつその上方に位置する別部材と言うことができる。更に言い換えると、吸込抵抗部５０は、後側熱交換器１３ｃの上方であると共に空調室内機１００の前後方向において室内熱交換器１３の頂点１３ｄよりも後方側に位置しているが、その中でも天面吸込口２１の中央寄りに位置しているのではなく、背面板１１ｃ側に位置している別部材だとも言える。ここで、天面吸込口２１の後側部分２１ａとは、室内熱交換器１３の頂点１３ｄからケーシング１１の背面板１１ｄまでの間の部分を言う。従って、図８に示すように、後側部分２１ａに対応するケーシング１１内部には、後側熱交換部１３ｃが位置しており、逆に室内熱交換器１３の頂点１３ｄからケーシング１１の前面板１１ｂまでの間である前側部分２１ｂに対応するケーシング１１内部には、前側熱交換部１３ａ，１３ｂが位置している。
【００５９】
なお、吸込抵抗部５０の材質は、ケーシング１１の材質と同様、例えば樹脂で構成することができる。または、吸込抵抗部５０は、金属等で構成されることもできる。
【００６０】
そして、吸込抵抗部５０は、左右方向においては、天面吸込口２１の長手方向（即ち、図８のＷ方向）の全長に渡って設けられており、図８に示すように、空調室内機１００の上面視において、左右方向に細長い略矩形の形状を有している。
【００６１】
なお、本実施形態に係る図２，７，８では、一例として、吸込抵抗部５０が、ケーシング１１の背面板１１ｃと隙間なく接しており、且つケーシング１１の正面側（つまり、ケーシング１１の前面板１１ｂ側）へと延びている場合を表している。更に、図８では、一例として、吸込抵抗部５０が、ケーシング１１の左側端部１１ｄ及び右側端部１１ｅの両方と接している場合を表している。
【００６２】
このように、吸込抵抗部５０が天面吸込口２１の後側部分２１ａを塞ぐことで、天面吸込口２１の後側部分２１ａから吸い込まれる室内空気の量が少なくなり、ケーシング１１の天面からケーシング１１内部へと吸い込まれる室内空気は、主に塞がれていない天面吸込口２１の部分（詳細には、前側部分２１ｂや塞がれていない後側部分２１ａの一部分）を介して吸い込まれることとなる。そのため、仮に吸込抵抗部５０が備えられていなければ天面吸込口２１から吸い込まれる室内空気が増加してしまうような環境条件下に、本実施形態に係る空調室内機１００が設置されても、天面吸込口２１から吸込まれる室内空気の増加分は、吸込抵抗部５０によってある程度抑えられることとなる。
【００６３】
なお、上記「環境条件」とは、空調室内機１００が設置される場所がどのような環境であるのかを表す条件である。環境条件としては、例えば空調室内機１００の設置場所における室内の天井と該室内機１００の天面との距離が比較的狭いこと等が挙げられる。
【００６４】
ここで、吸込抵抗部５０が、天面吸込口２１の後側部分２１ａをどの程度塞ぐかについて説明する。本実施形態に係る吸込抵抗部５０は、空調室内機１００が設置される環境条件が実際にどのような条件であるかに関わらず、下面吸込口２２から吸い込まれる空気の風速が約０．５ｍ／ｓｅｃ以上を保つ程度に、天面吸込口２１を塞ぐ。具体的には、天面吸込口２１の後側部分２１ａの面積を１００％とした場合、吸込抵抗部５０は、該後側部分２１ａの約３０％以上を塞ぐ。更に、吸込抵抗部５０は、該後側部分２１ａの約５０％以上を塞ぐことが好ましい。本実施形態に係る図２，７，８では、一例として、吸込抵抗部５０が後側部分２１ａの約６０％を塞いでいる場合を表している。
【００６５】
これにより、天面吸込口２１から吸い込まれる室内空気の量と下面吸込口２２から吸い込まれる室内空気の量との比率が、空調室内機１００が設置される環境条件に依存してばらついてしまうのを、確実に抑えることができる。従って、天面吸込口２１から吸い込まれる室内空気の量と下面吸込口２２から吸い込まれる室内空気の量との比率のばらつき度合いを小さくでき、空調室内機１００が設置される環境条件が異なるために、場合によっては下面吸込口２２が機能しないといった現象の発生を抑えることができる。
【００６６】
なお、吸込抵抗部５０が天面吸込口２１の後側部分２１ａをどの程度塞ぐかの具体的数値については、室内ファン１５の風量を最小風量とする条件、該後側部分２１ａの約３０％以上または約５０％以上を塞ぐといった条件、下面吸込口２２から吸い込まれる空気の風速が約０．５ｍ／ｓｅｃ以上となる条件に加え、更に圧力損失等を考慮して、机上計算、シミュレーション及び実験等を基に、適宜決定される。
【００６７】
（１−９）その他の構成
上述した他に、空調室内機１００は、該室内機１００を構成する各種機器の制御を行う室内制御部（図示せず）を備えている。室内制御部は、ＣＰＵ及びメモリで構成されるマイクロコンピュータであって、ケーシング１１の前方部分に収まっている。例えば、室内制御部は、フラップ用モータ及び室内ファンモータと接続されており、これらのモータの駆動制御を行うことで、水平フラップ２３ａの開閉制御や角度制御、室内ファン１５の風量制御等を行う。
【００６８】
（２）特徴
（２−１）
本実施形態に係る空調室内機１００には、天面吸込口２１と下面吸込口２２とが設けられているが、後側熱交換部１３ｃに対応する天面吸込口２１は、吸込抵抗部５０によって塞がれている。これにより、天面吸込口２１から吸い込まれる室内空気の量は、吸込抵抗部５０によって抑えられる。そのため、仮に吸込抵抗部５０が備えられていなければ天面吸込口２１から吸い込まれる室内空気が増加してしまうような環境条件下に、本実施形態に係る空調室内機１００が設置されても、天面吸込口２１から吸い込まれる室内空気の増加分は、吸込抵抗部５０によってある程度抑えられる。従って、天面吸込口２１から吸い込まれる室内空気の量と下面吸込口２２から吸い込まれる室内空気の量との比率のばらつき度合いを小さくでき、環境条件が異なるために場合によっては下面吸込口２２が機能しないといった現象の発生を抑えることができる。
【００６９】
更に、天面吸込口２１から吸い込まれる室内空気の量と下面吸込口２２から吸い込まれる室内空気の量との比率のばらつき度合いが小さくなることで、室内熱交換器１３に流れる室内空気の量の、環境条件に起因するばらつきも小さくなる。即ち、室内熱交換器１３に流れ込む室内空気の量は、空調室内機１００がどのような環境条件下に設置されているのかに限らず、ほぼ一定となることができる。従って、空調室内機１００の性能が設置場所によって異なってしまうことも、防ぐことができる。
【００７０】
（２−２）
特に、吸込抵抗部５０は、後側熱交換部１３ｃに対応する天面吸込口２１の後側部分２１ａに位置している。これにより、天面吸込口２１の後側部分２１ａから吸い込まれる室内空気の量が少なくなる。そのため、天面吸込口２１から吸い込まれる室内空気の量と下面吸込口２２から吸い込まれる室内空気の量との比率のばらつき度合いを、より小さくできる。
【００７１】
（２−３）
また、吸込抵抗部５０は、ケーシング１１とは別部材によって簡単に構成され、ケーシング１１の天面吸込口２１の後側部分２１ａは確実に塞がれる。
【００７２】
（２−４）
また、吸込抵抗部５０は、天面吸込口２１の長手方向の全長にわたって設けられている。これにより、吸込抵抗部５０は、天面吸込口２１を長手方向の全長に渡って塞ぐことができる。
【００７３】
（２−５）
また、吸込抵抗部５０は、天面吸込口２１の後側部分２１ａの約３０％以上を塞ぐことで、天面吸込口２１から吸い込まれる室内空気の量と下面吸込口２２から吸い込まれる室内空気の量との比率のばらつき度合いを小さくして、下面吸込口２２を確実に機能させることができる。
【００７４】
（２−６）
特に、吸込抵抗部５０は、天面吸込口２１の後側部分２１ａの約５０％以上を塞ぐことで、天面吸込口２１から吸い込まれる室内空気の量と下面吸込口２２から吸い込まれる室内空気の量との比率のばらつき度合いを、より小さくすることができる。
【００７５】
（２−７）
また、本実施形態では、下面吸込口２２から吸い込まれる室内空気の風速が約０．５ｍ／ｓｅｃ以上となる程度に、天面吸込口２１の後側部分２１ａから吸込まれる室内空気を、吸込抵抗部５０が妨害する。これにより、空調室内機１００の設置される環境条件に依存する、天面吸込口２１から吸い込まれる室内空気の量と下面吸込口２２から吸い込まれる室内空気の量との比率のばらつき度合いを、確実に抑えることができる。
【００７６】
（３）変形例
以上、本発明の実施形態について図面に基づいて説明したが、具体的な構成は、上記実施形態に限られるものではなく、発明の要旨を逸脱しない範囲で変更可能である。
【００７７】
（３−１）変形例Ａ
上記実施形態では、吸込抵抗部５０がケーシング１１とは別部材で構成されていると説明した。しかし、吸込抵抗部５０は、ケーシング１１の一部によって構成されていてもよい。この場合、吸込抵抗部５０は、例えばケーシング１１の天面板１１ａが、天面吸込口２１を小さくするようにして延びることで、構成される。
【００７８】
これにより、吸込抵抗部５０を簡単に構成することができ、且つ吸込抵抗部５０を別部材で形成する場合に比してコストがかからずに済む。
【００７９】
（３−２）変形例Ｂ
上記実施形態の図２，７，８では、吸込抵抗部５０がケーシング１１の背面板１１ｃと隙間なく接しており、且つケーシング１１の正面側へと延びている場合を表していた。しかし、吸込抵抗部５０は、背面板１１ｃとは離れた状態で、天面吸込口２１の後側部分２１ａの少なくとも一部分を塞いでもよい。
【００８０】
また、上記実施形態の図８では、吸込抵抗部５０が、ケーシング１１の左側端部１１ｄ及び右側端部１１ｅの両方と接している場合を表していた。しかし、吸込抵抗部５０は、ケーシング１１の左側端部１１ｄ及び／または右側端部１１ｅとは、接しているのではなく、離れていても良い。
【００８１】
（３−３）変形例Ｃ
また、本発明に係る吸込抵抗部は、既に述べたように、天面吸込口２１の後側部分２１ａから吸い込まれる室内空気の流れを妨害するために設けられるものである。そのため、吸込抵抗部は、ケーシング１１の天面板１１ａから下方に離れた位置にて、後側部分２１ａの少なくとも一部分を塞ぐように設けられていても良い。
【産業上の利用可能性】
【００８２】
以上のように、本発明によれば、天面吸込口から吸い込まれる室内空気の量と下面吸込口から吸い込まれる室内空気の量との比率のばらつき度合いを小さくでき、環境条件が異なるために場合によっては下面吸込口が機能しないといった現象の発生を抑えることができる。そのため、本発明に係る空調室内機は、様々な環境条件下において設置される壁掛タイプの室内機として有用である。
【符号の説明】
【００８３】
１００  空調室内機
１１  ケーシング
１１ａ  天面板
１１ｂ  前面板
１１ｃ  背面板
１３  室内熱交換器
１３ａ，１３ｂ  前側熱交換部
１３ｃ  後側熱交換部
１５  室内ファン
１７  底フレーム
２１  天面吸込口
２１ａ  天面吸込口の後側部分
２２ａ  天面吸込口の前側部分
２２  下面吸込口
２３  吹出口
２５  フィルタ
３０  清掃ユニット
３２  フィルタ駆動部
３４  ブラシ駆動部
４０  支持部材
５０  吸込抵抗部
【先行技術文献】
【特許文献】
【００８４】
【特許文献１】特開２００１−３１１５３０号公報
【図１】
0005447566.tif 000002
【図２】
0005447566.tif 000003
【図３】
0005447566.tif 000004
【図４】
0005447566.tif 000005
【図５】
0005447566.tif 000006
【図６】
0005447566.tif 000007
【図７】
0005447566.tif 000008
【図８】
0005447566.tif 000009